(57)【要約】      （修正有）【課題】優れた保温力で着用者の下腿部を保温することができると共に、着用感に優れたレッグウォーマーを提供する。【解決手段】レッグウォーマー１０は、二重構造の内層を構成する第１の編地１と、二重構造の外層を構成する第２の編地２と、を備え、着用者の下腿部に対する第１の編地１の締付け圧力が第２の編地２の締付け圧力より大きい。【選択図】図１
0003180304.tif 000002
【実用新案登録請求の範囲】
【請求項１】
二重構造の略筒状体に編成され、着用者の下腿部を被覆するレッグウォーマーにおいて、
前記二重構造の内層を構成する第１の編地と、
前記二重構造の外層を構成する第２の編地と、
を備え、
前記着用者の下腿部に対する前記第１の編地の締付け圧力が前記第２の編地の締付け圧力より大きいことを特徴とするレッグウォーマー。
【請求項２】
前記請求項１に記載のレッグウォーマーにおいて、
前記第１の編地の度目が、前記第２の編地の度目よりも小さいことを特徴とするレッグウォーマー。
【請求項３】
前記請求項１又は２に記載のレッグウォーマーにおいて、
前記第１の編地及び第２の編地間に編成される第３の編地を備え、
前記着用者の下腿部に対する前記第３の編地の締付け圧力が、前記第１の編地の締付け圧力より小さく、前記第２の編地の締付け圧力より大きいことを特徴とするレッグウォーマー。
【請求項４】
前記請求項１乃至３のいずれかに記載のレッグウォーマーにおいて、
前記第１の編地が、表糸、裏糸及びゴム糸を編糸として編成され、
前記第３の編地が、表糸及び裏糸を編糸として編成され、
前記第２の編地が、表糸を編糸として編成されることを特徴とするレッグウォーマー。
【請求項５】
二重構造の略袋状体に編成され、着用者の足を被覆する足部と当該着用者の下腿部を被覆する身部とを備えるソックスにおいて、
前記身部における前記二重構造の内層を構成する第１の編地と、
前記身部における前記二重構造の外層を構成する第２の編地と、
を備え、
前記着用者の下腿部に対する前記第１の編地の締付け圧力が前記第２の編地の締付け圧力より大きいことを特徴とするソックス。
【考案の詳細な説明】
【技術分野】
【０００１】
本考案は、着用者の下腿部を被覆して保温するレッグウォーマー及び着用者の足及び下腿部を被覆して保温するソックスに関し、特に、着用感及び保温性に優れたレッグウォーマー及びソックスに関するものである。
【背景技術】
【０００２】
従来のレッグウォーマにおいては、伸縮性を有する生地若しくは編地を筒状に形成して筒状本体部分が形成されたレッグウォーマであって、当該レッグウォーマーの足首側部分に環状の膨張規制部を複数本形成するとともに、その上方部の筒状部分に筒状の長さ方向に略等間隔に設けられた縮み規制部とを備えた（例えば、特許文献１参照）。
【先行技術文献】
【特許文献】
【０００３】
【特許文献１】特開２００４−１７６２２２号公報
【考案の概要】
【考案が解決しようとする課題】
【０００４】
従来のレッグウォーマは、着用者の足首部分が環状の膨張規制部により保温性を高められているものの、着用者の脛や脹脛部分が一層の織布素材で被覆されるだけであり、保温力が十分ではないという課題がある。
【０００５】
この考案は、上述のような課題を解決するためになされたもので、優れた保温力で着用者の下腿部を保温することができると共に、着用感に優れたレッグウォーマーを提供することを目的とする。
【課題を解決するための手段】
【０００６】
この考案に係るレッグウォーマーにおいては、略筒状体が、内層及び外層からなる二重構造に形成されると共に、着用者の下腿部に対する内層の締付け圧力が外層の締付け圧力より大きいものである。
【考案の効果】
【０００７】
この考案に係るレッグウォーマーにおいては、断熱効果を著しく高め、着用者の下腿部に対し常に適度な張力でフィットすることとなり、快適な装着感が得られると共に、下腿部の血行を良くする作用を与え、下腿部における疲労感を軽減することができる。
【図面の簡単な説明】
【０００８】
【図１】（ａ）は第１の実施形態に係るレッグウォーマーの概略構成を示す正面図であり、（ｂ）は図１（ａ）に示すレッグウォーマーの内部構成を示す断面図であり、（ｃ）は図１（ａ）に示すレッグウォーマーの二重構造を説明するための説明図である。
【図２】図１（ａ）に示すレッグウォーマーの着用状態を説明するための説明図である。
【図３】（ａ）は第２の実施形態に係るソックスの内部構成を示す断面図であり、（ｂ）は図３（ａ）に示すソックスの二重構造を説明するための説明図である。
【図４】図３（ａ）に示すソックスの着用状態を説明するための説明図である。
【考案を実施するための形態】
【０００９】
（本考案の第１の実施形態）
本実施形態に係るレッグウォーマー１０は、図１及び図２に示すように、二重構造の略筒状体に丸編で編成され、着用者の下腿部２０を被覆して保温する防寒具である。
また、レッグウォーマー１０は、二重構造の内層を構成する第１の編地１と、二重構造の外層を構成する第２の編地２と、を備え、着用者の下腿部２０に対する第１の編地１の締付け圧力が、着用者の下腿部２０に対する第２の編地２の締付け圧力より大きいものである。また、レッグウォーマー１０は、第１の編地１の度目が、第２の編地２の度目よりも小さく、例えば、度目のスケールを１〜１０で考えると、第１の編地１の度目が３〜４であり、第２の編地２の度目が７〜９である。
【００１０】
特に、本実施形態に係るレッグウォーマー１０は、第１の編地１が、表糸、裏糸及びゴム糸を編糸として１×１のゴム編で編成され、第２の編地２が、表糸を編糸としてゾッキ編の柄編組織で編成されることにより、内層に着圧機能を持たせ、着用者の下腿部２０に圧力をかけることで血行を促進し、むくみを防止する効果が得られると共に、外層に装飾機能を持たせ、レッグウォーマー１０の美観を高めることができる。
なお、本実施形態に係る第２の編地２は、ゾッキ編の柄編組織で編成しているが、この編組織に限られるものではない。
【００１１】
また、本実施形態においては、第１の編地１に用いられる地編糸として、綿５０％とアクリル５０％とで配合され、太さ３２デニールの綿混糸であり、撚り本数１本及び編み本数２本からなる表糸と、太さ３０デニールのポリウレタンの芯糸に太さ７０デニールのナイロンの巻き糸を巻きつけたカバーリング・ヤーン（ＦＴＹ：filament twisted yarn）である裏糸と、太さ１４０デニールのポリウレタンの芯糸に太さ４０デニールのポリエステルの巻き糸を巻きつけたカバーリング・ヤーン（ＦＴＹ）であるゴム糸と、を用いているが、この材質に限られるものではない。
【００１２】
また、本実施形態においては、第２の編地２に用いられる地編糸として、綿５０％とアクリル５０％とで配合され、太さ３２デニールの綿混糸であり、撚り本数１本及び編み本数２本からなる表糸とを用いているが、この材質に限られるものではない。
【００１３】
なお、本実施形態に係るレッグウォーマー１０は、第１の編地１及び第２の編地２間に編成される第３の編地３をさらに備え、例えば、第３の編地３が、表糸及び裏糸を編糸として平編で編成される。また、第３の編地３の度目が、第１の編地１の度目より大きく、第２の編地２の度目よりも小さいものである。
また、本実施形態に係るレッグウォーマー１０は、着用者の下腿部２０に対する第３の編地３の締付け圧力が、着用者の下腿部２０に対する第１の編地１の締付け圧力より小さく、着用者の下腿部２０に対する第２の編地２の締付け圧力より大きいものである。
このように、レッグウォーマー１０は、第３の編地３の締付け圧力が、第１の編地１の締付け圧力より小さく、第２の編地２の締付け圧力より大きいことにより、第１の編地１及び第２の編地２の境界における編地の強さの切り換えを第３の編地３を介して段階的に行ない、第１の編地１及び第２の編地２の境界における編地の破れを防止すると共に、図１（ｂ）に示すように、第３の編地３が外側にカールして、第３の編地３近傍におけるレッグウォーマー１０の一端１１の捲れを防止することができるという作用効果を奏する。
【００１４】
なお、本実施形態においては、第３の編地３に用いられる地編糸として、綿５０％とアクリル５０％とで配合され、太さ３２デニールの綿混糸であり、撚り本数１本及び編み本数２本からなる表糸と、太さ３０デニールのポリウレタンの芯糸に太さ７０デニールのナイロンの巻き糸を巻きつけたカバーリング・ヤーン（ＦＴＹ）である裏糸と、を用いているが、この材質に限られるものではない。
【００１５】
つぎに、本実施形態に係るレッグウォーマー１０の製造方法について、図１（ｃ）を用いて説明する。
まず、丸編機は、表糸、裏糸及びゴム糸を給糸して、第１の編地１の一端１ａ（メークアップ）から編み始め、第１の編地１を１×１ゴム編で略筒状に編成する。この場合に、丸編機は、第１の編地１の一端１ａをベラ針で保持したまま、第１の編地１の他端１ｂまで編み進める。
【００１６】
そして、丸編機は、第１の編地１の他端１ｂでゴム糸の給糸を止め、表糸及び裏糸のみの給糸により、第１の編地１に連続して第３の編地３を平編で略筒状に編成する。この場合に、丸編機は、第１の編地１の一端１ａをベラ針で保持したまま、第３の編地３の一端３ａから他端３ｂまで編み進める。
【００１７】
そして、丸編機は、第３の編地３の他端３ｂで裏糸の給糸を止め、表糸のみの給糸により、第３の編地３に連続して第２の編地２をゾッキ編で略筒状に編成する。この場合に、丸編機は、第１の編地１の一端１ａをベラ針で保持したまま、第２の編地２の一端２ａから他端２ｂまで編み進める。なお、第２の編地２の度目が第３の編地３の度目よりも大きいことにより、第２の編地２における略筒状編地の半径が第３の編地３における略筒状編地の半径よりも大きくなり、第２の編地２が第３の編地３の外側で編成されることになる。
【００１８】
最後に、丸編機は、移しにより、ベラ針で保持した第１の編地１の一端１ａと第２の編地２の他端２ｂとを同時に編み立てて、第１の編地１の一端１ａと第２の編地２の他端２ｂとを一体に連続した編地にし、第１の編地１、第２の編地２及び第３の編地３による二重構造の略筒状体としてレッグウォーマー１０を完成する。
【００１９】
なお、本実施形態に係るレッグウォーマー１０は、第１の編地１の一端１ａと第２の編地２の他端２ｂとを丸編機により自動的に連結しているが、第１の編地１の一端１ａと第２の編地２の他端２ｂとの境界の強度を高めるために、第１の編地１の一端１ａと第２の編地２の他端２ｂとの境界を縫製してもよい。
【００２０】
以上のように、本実施形態に係るレッグウォーマー１０においては、第１の編地１及び第２の編地２からなる二重構造としていることから、第１の編地１及び第２の編地２間に断熱性に優れる空気層を配置することができ、保温性能を確保することができる。
【００２１】
また、本実施形態に係るレッグウォーマー１０においては、第１の編地１及び第２の編地２を一体に編成しているので、第１の編地１及び第２の編地２を一体化する際の縫製箇所が少なくて済み、製造工程数を削減し、短時間に効率良く生産することができ、製造コストも低減することができる。
【００２２】
また、本実施形態に係るレッグウォーマー１０においては、内層側（第１の編地１）と外層側（第２の編地２）との編み方を異ならせる構成とすることにより、内層側に着圧性を重視する一方、外層側にデザイン性を重視することができ、それぞれ着圧性とデザイン性をより最適な状態として全体的に着圧力とデザインとを向上させることができる。
【００２３】
また、本実施形態に係るレッグウォーマー１０においては、内層側（第１の編地１）に着圧が生じるように編成することにより、内層側が身体の装着部位に対し常に適切な張力でフィットすることとなり、締め過ぎや緩め過ぎがなく、快適な装着感が得られると共に、装着部位の血行を良くする作用を与え、装着部位における疲労感を軽減することができる。
【００２４】
（本考案の第２の実施形態）
図３（ａ）は第２の実施形態に係るソックスの内部構成を示す断面図であり、図３（ｂ）は図３（ａ）に示すソックスの二重構造を説明するための説明図である。図４は図３（ａ）に示すソックスの着用状態を説明するための説明図である。図３及び図４において、図１及び図２と同じ符号は、同一又は相当部分を示し、その説明を省略する。
【００２５】
本実施形態に係るソックス３０は、図１及び図２に示すように、足部３１及び身部３２を備え、二重構造の略袋状体に丸編で編成され、着用者の下腿部２０を被覆して保温する防寒具である。
【００２６】
また、ソックス３０は、身部３２における二重構造の内層を構成する第１の編地１と、身部３２における二重構造の外層を構成する第２の編地２と、第１の編地１及び第２の編地２間に編成される第３の編地３とを備え、着用者の下腿部２０に対する第３の編地３の締付け圧力が、着用者の下腿部２０に対する第１の編地１の締付け圧力より小さく、着用者の下腿部２０に対する第２の編地２の締付け圧力より大きいものである。
【００２７】
また、ソックス３０は、第１の編地１に隣接し、足部３１における二重構造の内層を構成する第４の編地４と、第２の編地２に隣接し、足部３１における二重構造の外層を構成する第５の編地５とをさらに備える。
【００２８】
なお、本実施形態に係る第４の編地４及び第５の編地５は、表糸及び裏糸を編糸として平編で編成され、第４の編地４及び第５の編地５に用いられる地編糸として、綿５０％とアクリル５０％とで配合され、太さ３２デニールの綿混糸であり、撚り本数１本及び編み本数２本からなる表糸と、太さ３０デニールのポリウレタンの芯糸に太さ７０デニールのナイロンの巻き糸を巻きつけたカバーリング・ヤーン（ＦＴＹ）である裏糸と、を用いているが、この材質に限られるものではない。
【００２９】
なお、この第２の実施形態においては、第４の編地４及び第５の編地５を備えるソックス３０であるところのみが第１の実施形態と異なるところであり、ソックス３０による作用効果以外は、第１の実施形態と同様の作用効果を奏する。
【００３０】
つぎに、本実施形態に係るソックス３０の製造方法について、図３（ｃ）を用いて説明する。
まず、丸編機は、表糸及び裏糸を給糸して、第４の編地４の一端４ａ（メークアップ）から編み始め、第４の編地４を平編で略筒状（かかと成形部分を含む）に編成し、第４の編地４の一端４ａから他端４ｂまで編み進める。
【００３１】
そして、丸編機は、第４の編地４の他端４ｂでゴム糸の給糸を始め、表糸、裏糸及びゴム糸により、第４の編地４に連続して第１の編地１を１×１ゴム編で略筒状に編成し、第１の編地１の一端１ａから他端１ｂまで編み進める。
【００３２】
そして、丸編機は、第１の編地１の他端１ｂでゴム糸の給糸を止め、表糸及び裏糸のみの給糸により、第１の編地１に連続して第３の編地３を平編で略筒状に編成し、第３の編地３の一端３ａから他端３ｂまで編み進める。
【００３３】
そして、丸編機は、第３の編地３の他端３ｂで裏糸の給糸を止め、表糸のみの給糸により、第３の編地３に連続して第２の編地２をゾッキ編で略筒状に編成し、第２の編地２の一端２ａから他端２ｂまで編み進める。
【００３４】
そして、丸編機は、第３の編地３の他端３ｂで裏糸及びゴム糸の給糸を始め、表糸、裏糸及びゴム糸により、第３の編地３に連続して第５の編地５を平編で略筒状（かかと成形部分を含む）に編成し、第５の編地５の一端５ａから他端５ｂまで編み進める。
【００３５】
最後に、二重構造の外層部分（第２の編地２、第５の編地５）と内層部分（第１の編地１、第３の編地３、第４の編地４）との中間部分で外層部分を折り返し、二重構造の外層部分を内層部分に被せ、外層端部（第４の編地４の一端４ａ）と内層端部（第５の編地５の他端５ｂ）を一体に縫製して足部３１の爪先成形部分とし、二重構造の略袋状体としてソックス３０を完成する。
【符号の説明】
【００３６】
１      第１の編地
１ａ    一端
１ｂ    他端
２      第２の編地
２ａ    一端
２ｂ    他端
３      第３の編地
３ａ    一端
３ｂ    他端
４      第４の編地
４ａ    一端
４ｂ    他端
５      第５の編地
５ａ    一端
５ｂ    他端
１０    レッグウォーマー
１１    一端
２０    下腿部
３０    ソックス
３１    足部
３２    身部
【図１】
0003180304.tif 000003
【図２】
0003180304.tif 000004
【図３】
0003180304.tif 000005
【図４】
0003180304.tif 000006